(57)【要約】  本発明は、電気機械のためのブラシホルダであって、ブラシ（１１）を収容するためのケーシング（２）が設けられており、緊締エレメント（７）が設けられており、電気機械にブラシホルダを固定するための、ケーシング（２）に配置された固定エレメント（３，５）が設けられている形式のものに関する。固定エレメント（３，５）が、実質的にＴ字形に形成されている。
2007532087.tif 000002
【特許請求の範囲】
【請求項１】
電気機械のためのブラシホルダにおいて、
ブラシ（１１）を収容するためのケーシング（２）が設けられており、緊締エレメント（７）が設けられており、電気機械にブラシホルダを固定するための、ケーシング（２）に配置された固定エレメント（３，５）が設けられており、
固定エレメント（３，５）が、実質的にＴ字形に形成されていることを特徴とする、電気機械のためのブラシホルダ。
【請求項２】
固定エレメント（３，５）が、実質的にＴ字形の２つのエレメントを備えており、これらのエレメントが、互いに反対側にケーシング（２）に配置されている、請求項１記載のブラシホルダ。
【請求項３】
Ｔ字形の固定エレメント（３，５）が、ケーシング（２）と一体的に形成されている、請求項１または２記載のブラシホルダ。
【請求項４】
ブラシホルダが、緊締エレメント（７）によって、電気機械に固定されている、請求項１から３までのいずれか１項記載のブラシホルダ。
【請求項５】
緊締エレメント（７）が、ばねとして形成されている、請求項１から４までのいずれか１項記載のブラシホルダ。
【請求項６】
ばね（７）が、ケーシング（２）の外側に配置されており、ばねアーム（８）が、ケーシング（２）に設けられた切欠（１２）を通って、ブラシ（１１）に予荷重を及ぼすようになっている、請求項５記載のブラシホルダ。
【請求項７】
ばね（７）が、ケーシング（２）を電気機械に固定するための実質的にＶ字形のばね端部（９，１０）を備えている、請求項５または６記載のブラシホルダ。
【請求項８】
実質的にＶ字形のばね端部（９，１０）が、Ｔ字形の固定エレメント（３，５）の脚部に沿ってガイドされている、請求項７記載のブラシホルダ。
【請求項９】
緊締エレメント（７）が、電気機械の保持部（１５）の２つの舌片（１８，１９）および２つの切欠（２０，２１）に固定されている、請求項１から８までのいずれか１項記載のブラシホルダ。
【請求項１０】
ケーシング（２）が、緊締エレメント（７）の存在する側で、波形の外面を有している、請求項１から９までのいずれか１項記載のブラシホルダ。
【請求項１１】
ケーシング（２）が、２つのケーシング部分（２ａ，２ｂ）から形成されており、Ｔ字形の固定エレメント（３，５）が、両方のケーシング部分（２ａ，２ｂ）から形成されているか、またはケーシング（２）が、一体的にまとめて形成されたＴ字形の固定エレメント（３，５）によって形成されている、請求項１から１０までのいずれか１項記載のブラシホルダ。
【請求項１２】
請求項１から１１までのいずれか１項記載のブラシホルダを備えた、電気機械、特に電動工具のための電動モータ。
【発明の詳細な説明】
【技術分野】
【０００１】
本発明は、電気機械のためのブラシホルダ、特に電動工具用の電動モータのためのブラシホルダに関する。
【０００２】
電気機械のためのブラシホルダは、従来技術から多種多様の形式で公知である。一般的には電動工具、たとえばアングルラインダ、穿孔機械などに用いられるたとえばユニバーサル−電動モータでは、必要な電流切換（転流）は、整流子によって行われる。この場合整流子への通電は、カーボンブラシによって行われる。カーボンブラシは、ブラシホルダ内に配置されており、ブラシホルダは、ブラシの正確なガイドならびに調節された必要な押圧力を提供する必要がある。スイス国特許第４９３１１５号明細書からブラシホルダが公知であり、ここではばね舌片および引張ばねによってプレロードがブラシに及ぼされる。この場合、ブラシと押圧舌片との間に、円筒形の押圧部材が設けられており、押圧部材は、カーボンブラシにおけるＶ字形の楔形部分に押し付けられ、これによって均等な押圧力がブラシに及ぼされる。
【０００３】
発明の利点
これに対して、本発明による、請求項１の特徴部に記載の構成を有するブラシホルダは、特に簡単に電気機械に固定できるという利点を有している。このために本発明によれば、実質的にＴ字形状を有する固定エレメントが設けられている。これによって振動励起を抑制しつつ、ブラシホルダの固定的で正確な嵌め込みが達成される。Ｔ字形の固定エレメントは、簡単に、適当に形成された収容部に差し込むことができるので、固定ねじなどは不要である。さらにこれによって電気機械の領域における貫通孔を低減することができるので、電気機械の強度改善が達成される。
【０００４】
従属請求項には、本発明の有利な実施形態を記載した。
【０００５】
特に有利には、固定エレメントが、実質的にＴ字形の２つのエレメントを備えており、これらのエレメントが、互いに反対側の端部でブラシホルダに配置されている。
【０００６】
特に経済的に製作できるようにするために、Ｔ字形の固定エレメントは、ブラシホルダのケーシングと一体的に形成されている。この場合特に有利には、ブラシホルダのケーシングは、２つの金属薄板ストリップから製作されており、金属薄板ストリップは、変形によって、一体的にまとめて形成された固定エレメントと共にケーシングを成すように変形される。この場合各ケーシング部分は、有利にはＴ字形の固定エレメントの脚部を形成する。これに関して選択的に、ケーシングは一体的に形成することもできる。このために金属薄板ストリップは、所望の外側のケーシング形状に応じて変形され、次いでスリットが、変形されない金属薄板ストリップに形成される。次いで金属薄板ストリップは、スリットに沿って折り曲げられて拡張されるので、ブラシのための収容スペースが形成される。
【０００７】
有利には、緊締エレメントが電気機械に保持されているので、緊締エレメントは、ブラシホルダのケーシングに固定されていない。これによってブラシホルダのケーシングにプレロードがかけられず、さらにブラシホルダの、一般的に金属から製作されるケーシングの、電気機械に設けられたプラスチックホルダから落下する頻度が大幅に低減される。さらに電気機械に対する緊締エレメントの取付によって、ブラシホルダのケーシングは、プレロードによって、定位置で固定することができる。
【０００８】
有利には、ブラシホルダの緊締エレメントが、ばねとして形成されており、特に有利には、ばねは、ケーシングの外側に配置されている。この場合ばねアームが、ブラシホルダのケーシングに形成された切欠を通って、プレロードをブラシに及ぼす。これによってばね力導入部、つまりブラシとのコンタクト箇所は、センタリングしてブラシに配置することができるので、ばねの支持点に同じ力分配が生じる。
【０００９】
さらにブラシホルダのケーシングの外側にばねエレメントを配置したことによって、ばねは、ブラシに対するコンタクト箇所における熱導入箇所から比較的離れて配置されるので、ばねは良好に冷却することができる。
【００１０】
ばねがＶ字形の２つのばね端部を備えている場合、ばねの特に簡単な取付が実現される。特に有利には、Ｖ字形のばね端部は、Ｔ字形の固定エレメントの脚部もしくはウェブに沿ってこれを越えてガイドされる。
【００１１】
ばねのさらに良好な冷却を達成するために、ブラシホルダのケーシングにおいて、ばねの配置された側で、この側の表面が波形に形成されているので、ケーシングとばねとの間の接触箇所がほんの僅かしか形成されず、カーボンブラシは、汚れの生じた状態でも、スムーズに容器内に残存する。これによってばねとケーシングとの間に冷却流をガイドすることができる。
【００１２】
本発明によるブラシホルダは、特に有利には、電動工具用の電動モータに使用される。なぜならばこのような工具は大量生産されるので、コスト的に格別な利点が得られる。
【００１３】
さらに前述のばねは、特に簡単に取り付けることができ、それもモータケーシングのブラシホルダ収容部に係止させ、ばね端部を屈曲して、電動モータのケーシングに設けられた切欠に係止させて、取り付けることができる。
【００１４】
実施例の説明
次に図面につき本発明の実施例を詳しく説明する。
【００１５】
以下に、図１〜図５につき、本発明によるブラシホルダ１の第１実施例を説明する。図１に示したように、ブラシホルダ１は、ケーシング２と、緊締エレメントとしてのばね７とを備えている。この場合ばね７は、ケーシングの外側に配置されている。ケーシング２は、２部分２ａ，２ｂから成っており、これらのケーシング部分２ａ，２ｂは、打ち抜き成形された金属薄板から製作することができる。変形によって、両ケーシング部分２ａ，２ｂは、左右の端部でそれぞれＴ字形の固定エレメント３，５が生じるように、形成されている。ケーシング２と、Ｔ字形の固定エレメント３，５とは、それぞれＴ字形の固定エレメントの脚部を介して結合されている。Ｔ字形の固定エレメントの脚部に、結合舌片４，６が形成されており（図１参照）、これによって両ケーシング部分２ａ，２ｂは互いに堅固に結合される。Ｔ字形の固定エレメント３の各自由脚部は、それぞれ１つのケーシング部分２ａ，２ｂによって形成されており、Ｔ字形の固定エレメントの脚部は、両方のケーシング部分２ａ，２ｂによって形成されている。したがって内側にカーボンブラシ１１を収容するケーシング２が形成される。ケーシング２は、選択的に一体的に形成することができ、ここでは所望の外側形状に応じて金属薄板を変形して、次いで両方の端部で閉じたスリットを金属薄板に形成する。次いで金属薄板は、スリットに沿って屈曲して、据え込み、これによってブラシのための収容スペースが形成される。この場合結合ウェブ４，６は、閉じたスリットの端部である。Ｔ字形の固定エレメント３，５を形成するために、金属薄板に、屈曲まえに同様にスリットが形成され、この場合スリットは、旋回軸線を形成するラインに沿って位置する。
【００１６】
カーボンブラシ１１は、ばね７によってプレロード（予荷重）をかけられており、これによって、図３に示したように、電気機械のロータに押し付けられる。このためにばね７にばねアーム８が形成されており、ばねアーム８は、ケーシング２に形成された切欠１２を通ってプレロードをカーボンブラシ１１に及ぼす。特に図１および図５から判るように、ばねアーム８は、螺旋形のコイルばね７の中央部分に形成されており、それもばね７の左右巻のコイルが２脚式のばねアーム８の両側で展開されて、形成されている。さらに図２および図５から判るように、追加的に、ばね７にＶ字形の端部９，１０が形成されている。ばね７のＶ字形の端部９，１０は、Ｔ字形の固定エレメント３，５の脚部もしくは結合舌片４，６に沿ってこれを越えてガイドされており、それも結合舌片４，６がＶ字形の端部９，１０の屈曲点に位置するように、ガイドされている。端部９，１０の外側の端部片において、追加的に屈曲部２２，２３が形成されており、屈曲部２２，２３は、ブラシホルダ収容部１５の内面で切欠に係合する（図４参照）。
【００１７】
さらにブラシホルダ１に、ケーシング２と一体的に、ブラシホルダ接続部１３と、界磁巻線のための接続部１４とが設けられており、両方の接続部は、差込接続部（コネクタ）として形成されている（図１および図２参照）。
【００１８】
図３および図４に示したように、本発明によるブラシホルダ１は、電動モータケーシングにおける保持部１５に差し込んで固定される。保持部１５に対する固定は、一方ではＴ字形の固定エレメント３，５を介して行われ、Ｔ字形の固定エレメント３，５は、それぞれＴ字形のスリット１６，１７に挿入される（図３参照）。さらにブラシホルダ１は、ばね７によって保持部１５に固定される。詳しく述べると、保持部１５に２つの舌片１８，１９（図３参照）ならびに２つの切欠２０，２１（図４参照）が設けられている。この場合一方では、ばね７の外側端部２２，２３は、切欠２０，２１に係合し、また他方では、ばね７のＶ字形の領域９，１０とコイルばね領域との間の移行部は、舌片１８，１９によって保持される。ばね７が対称的に形成されているので、センタリング力をカーボンブラシ１１に及ぼすことができる。
【００１９】
したがってばね７は、専ら４カ所で、つまり両方の舌片１８，１９ならびに両方の切欠２０，２１で、電動モータの保持部１５に保持される。
【００２０】
ばね７は、クリップ止め、およびこれに続くＶ字形端部の変形によって、簡単に電動モータの保持部１５に取り付けることができる。したがってブラシホルダ１は、一方ではＴ字形の固定エレメント３，５によって、また他方ではばね７自体によって保持部１５に保持される。これによってモータケーシングにおけるブラシホルダの固定的で正確な取付が達成される。したがってばね７は、２つの機能を有しており、つまりカーボンブラシ１１の緊締エレメントとしての機能とブラシホルダのケーシング２の固定機能とを有している。したがって最小数の構成部材を用いて、ケーシング２が保持部１５におけるＴ字形スリット１６，１７から落下しないよう防止することができる。
【００２１】
さらに本発明によれば、ばね７は、ケーシング２の外側に、ひいてはカーボンブラシ１１からある程度離間して配置されている。これによってモータ冷却空気は、ブラシホルダ１の、熱的に強く負荷される構成素子を良好に冷却することができる。さらに、特に図１および図２に示したように、外側にばね７の配置されたケーシング側２ａは、波形に形成されているので、ケーシング壁部とばね７との間で冷却流を極めて良好に形成することができる。これによってばね７の追加的な冷却を達成することができる。
【００２２】
したがって本発明によるブラシホルダ１は、カーボンブラシ１１の正確で同時に安定したガイドを保証し、またさらに特にコンパクトな構造を有している。この場合電動モータのケーシングに、ブラシホルダ１のための貫通孔をできるだけ小さく設けることができるので、比較的高いモータケーシング強度が得られる。さらにばね７の対称的な構造によって、カーボンブラシ１１に作用する、直線的に変化するばね力が提供されるので、電動モータにおいて、ブラシ質量を低減しつつ、特に均等な転流条件を達成することができる。したがって従来技術と比べて改善されたブラシ耐用期間を達成することができ、また特に安価に製作可能で組立可能なブラシホルダ１を提供することができる。この場合ブラシホルダ１は、構成部材数を低減しつつ極めて小さな構造スペースを有している。
【図面の簡単な説明】
【００２３】
【図１】本発明によるブラシホルダの１実施例を示す斜視図である。
【図２】図１に示したブラシホルダを、図１とは反対側からみて示す斜視図である。
【図３】電動モータに組み付けられたブラシホルダを示す斜視図である。
【図４】電動モータの収容部に取り付けられた本発明によるブラシホルダを示す斜視図である。
【図５】別の構成部材の図示を省略して組付状態のばねを示す斜視図である。
【図１】
2007532087.tif 000003
【図２】
2007532087.tif 000004
【図３】
2007532087.tif 000005
【図４】
2007532087.tif 000006
【図５】
2007532087.tif 000007
【国際調査報告】
2007532087.tif 000008
2007532087.tif 000009
2007532087.tif 000010
2007532087.tif 000011